(57)【特許請求の範囲】
【請求項１】
透液性トップシートと、不透液性バックシートとの間に吸収体が介在された吸収性物品であって、
前記吸収性物品の両側部にそれぞれ、吸収体の側部上面位置を起立基点として内向き方向に突出するように形成された左右一対の第１立体ギャザーと、
前記第１立体ギャザーの外側位置に、実質的に不透液性バックシートの上面位置を起立基点として外向き方向に突出するように形成された第２立体ギャザーとを備え、
前記第１立体ギャザー及び第２立体ギャザーは、ギャザー形成不織布によって形成されるとともに、このギャザー形成不織布は、その内方側端部が吸収体の側縁上部位置において透液性トップシートの上面に接着され、吸収体の側縁上部位置の内方がわ端を起立基点として起立し、第１立体ギャザーの起立長さに相当する折返し幅をもってその中間部が前記側縁上部位置と重なる部分において接着されることにより二重のシート部分が作られ、この二重シート内の先端部分に第１弾性伸縮部材が内設され、前記二重シート部分は、吸収性物品の長手方向両端部においてそれぞれ、二重シート部分の内面側が透液性トップシート面に接着されることにより、前記二重シート部分が内向き方向に起立する前記第１立体ギャザーが形成され、
前記側縁上部位置と重なる部分よりさらに外方に延在するシート部分は、不透液性バックシートの縁を越えて外方まで延在した後、二重に折り返され前記不透液性バックシートの内面がわ側縁部に接着され、前記二重の折返し部であって、かつ前記不透液性バックシートの側縁より外方がわ位置に第２弾性伸縮部材が内設されることにより、不透液性バックシート上を起立基点として外向きに突出する第２立体ギャザーが形成されていることを特徴とする吸収性物品。
【請求項２】
前記第１立体ギャザーおよび第２立体ギャザー形成部において、前記第１立体ギャザーの内方がわ側縁から前記第２立体ギャザーの外方がわ側縁までの幅寸法が、吸収性物品の製品幅の１５％以上を占める請求項１記載の吸収性物品。
【請求項３】
前記第１立体ギャザーの起立基点から起立自由端までの長さが２〜８mmである請求項１、２いずれかに記載の吸収性物品。
【請求項４】
前記第１立体ギャザーの先端部分に吸収性物品長手方向に沿って配設される弾性伸縮部材は、伸縮率１３０〜２００％、弾性強度５〜３０gfである請求項１〜３いずれかに記載の吸収性物品。
【請求項５】
前記第２立体ギャザーの起立基点から起立自由端までの長さが４〜２５mmである請求項１〜３いずれかに記載の吸収性物品。
【発明の詳細な説明】
【０００１】
【発明の属する技術分野】
本発明は、経血やおりもの等の横漏れを２重障壁（ギャザー）によって確実に阻止するとともに、製品長手方向の全体形状を湾曲形状に保つようにした二重立体ギャザーを有する吸収性物品に関する。
【０００２】
【従来の技術】
従来より、パンティライナー、生理用ナプキン、おりものシート、失禁パッドなどの吸収性物品として、ポリエチレンシートまたはポリエチレンラミネート不織布などからなる不透液性バックシートと、不織布または透孔性プラスチックシートなどからなる透液性トップシートとの間に綿状パルプからなる吸収体を介在させたものが知られている。
【０００３】
この種の吸収性物品にも幾多の改良が重ねられ、経血やおりもの等の横漏れを効果的に防止するようにしたものが種々提案されている。たとえば、特開平11-104174号公報（従来例１）では、図８に示されるように、吸収性物品５０の長手方向両側部にそれぞれ、吸収体の略側縁近傍位置を起立基端として表面側に突出して形成された第１立体ギャザー５１と、相対的に前記第１立体ギャザー５１の外側位置に形成されるとともに、不透液性バックシート５２の側縁から実質的に連続して設けられた不織布によって形成された表面側に突出する第２立体ギャザー５３とを備え、該第２立体ギャザー部５３において、吸収性物品５０の略長手方向に沿って、起立基端近傍部位に基端側弾性部材５４を配設するとともに、起立先端部位に先端側弾性部材５５を夫々配設した構造の吸収性物品が開示されている。前記基端側弾性部材５４は、第２立体ギャザー５３の基端部を上方に持ち上げることにより、第２立体ギャザー５３の先端を股間周りに確実にかつ柔軟にフィットさせる機能を担っている。
【０００４】
また、特開平7-136212号公報（従来例２）では、図１０に示されるように、吸収性物品６０の両側に、撥水性または非透水性からなるシート６１の中間部をホットメルト接着剤などにより固定し、該中間固定部の両側フラップ６２、６３を弾性部材６４により断面Ｖ字状に立ち上げるようにした構造の吸収性物品が開示されている。
【０００５】
【発明が解決しようとする課題】
上記２例の吸収性物品はいずれも、吸収体側部に二重の立体ギャザーを形成することで、仮に内側の立体ギャザーを乗り越えて漏出する経血等があった場合でも、外側の立体ギャザーで経血を堰き止め横漏れを阻止する点で共通している。
【０００６】
しかしながら、従来例１の吸収性物品の場合、装着状態を示した図９に示されるように、外側に向けて起立している第１立体ギャザー５１の先端と、第２立体ギャザー５３との先端とが近接する関係にあり、装着状態によっては第１立体ギャザー５１と第２立体ギャザー５３とが重なりあって、実質的に一つの立体ギャザーを成し、十分な横漏れ防止効果を発揮し得ないことがあった。また、第１立体ギャザー５１と第２立体ギャザー５３との間には、経血等の滞留空間として機能し得るポケット状の空間が形成されているにも拘わらず、それぞれの立体ギャザー５１，５３の先端部が近接し実質的に一つの立体ギャザーの形態を成す場合には、前記ポケット状空間が潰されてしまい、経血等の滞留空間として有効利用されていないなどの問題があった。
【０００７】
一方、従来例２の吸収性物品の場合には、断面Ｖ字状を成す内側ギャザー６２先端と外側ギャザー６３先端とが肌に接触するようになるが、前記内側ギャザー６２と外側ギャザー６３とが吸収体上の同一点を起立基点として起立されるものであるため、双方のギャザー６２，６３によって大きな経血等の滞留空間を形成することが困難であるとともに、吸収体が肌に密着する状態で装着された場合には、前記内側ギャザー６２と外側ギャザー６３とが剛性を有する吸収体によって押し潰されてしまい、効果的に経血等の滞留空間を形成出来ない。また、双方のギャザー６２，６３が共に吸収体上を基点として立ち上げられており、吸収体の動きの影響を受け易い。すなわち、装着者の運動により吸収体が肌から離間する状態となると、これに伴ってギャザー先端が肌と離間することがあり、経血等が漏れ出すなどの問題が生じる。
【０００８】
他方、この種の吸収性物品においては、吸収体の剛性が他の構成部材に比べて著しく高い。その結果、製品全体を長手方向に湾曲形状に保つことが難しく、使用者の局部に最適にフィットさせづらく、吸収性物品と肌との間に離間ができ、漏れが発生するなどの問題がある。
【０００９】
そこで本発明の主たる課題は、経血やおりもの等の横漏れを２重障壁（ギャザー）によって確実に阻止するとともに、双方の立体ギャザーによって効果的に機能し得る経血等の滞留空間を形成でき、かつ製品の長手方向形状を湾曲形状に保つようにした二重立体ギャザーを備えた吸収性物品を提供することにある。
【００１０】
【課題を解決するための手段】
前記課題を解決するための本発明吸収性物品は、透液性トップシートと、不透液性バックシートとの間に吸収体が介在された吸収性物品であって、
前記吸収性物品の両側部にそれぞれ、吸収体の側部上面位置を起立基点として内向き方向に突出するように形成された左右一対の第１立体ギャザーと、
前記第１立体ギャザーの外側位置に、実質的に不透液性バックシートの上面位置を起立基点として外向き方向に突出するように形成された第２立体ギャザーとを備え、
前記第１立体ギャザー及び第２立体ギャザーは、ギャザー形成不織布によって形成されるとともに、このギャザー形成不織布は、その内方側端部が吸収体の側縁上部位置において透液性トップシートの上面に接着され、吸収体の側縁上部位置の内方がわ端を起立基点として起立し、第１立体ギャザーの起立長さに相当する折返し幅をもってその中間部が前記側縁上部位置と重なる部分において接着されることにより二重のシート部分が作られ、この二重シート内の先端部分に第１弾性伸縮部材が内設され、前記二重シート部分は、吸収性物品の長手方向両端部においてそれぞれ、二重シート部分の内面側が透液性トップシート面に接着されることにより、前記二重シート部分が内向き方向に起立する前記第１立体ギャザーが形成され、
前記側縁上部位置と重なる部分よりさらに外方に延在するシート部分は、不透液性バックシートの縁を越えて外方まで延在した後、二重に折り返され前記不透液性バックシートの内面がわ側縁部に接着され、前記二重の折返し部であって、かつ前記不透液性バックシートの側縁より外方がわ位置に第２弾性伸縮部材が内設されることにより、不透液性バックシート上を起立基点として外向きに突出する第２立体ギャザーが形成されていることを特徴とするものである。
【００１１】
この場合、前記第１立体ギャザーおよび第２立体ギャザー形成部において、前記第１立体ギャザーの内方がわ側縁から前記第２立体ギャザーの外方がわ側縁までの幅寸法が、吸収性物品の製品幅の１５％以上を占めることが望ましい。
【００１２】
また、前記第１立体ギャザーの起立基点から起立自由端までの長さが２〜８mmであることが望ましく、かつ前記第１立体ギャザーの先端部分に吸収性物品長手方向に沿って配設される弾性伸縮部材は、伸縮率１３０〜２００％、弾性強度５〜３０gfであることが望ましい。
【００１３】
他方、前記第２立体ギャザーについては、起立基点から起立自由端までの長さが４〜２５mmであることが望ましい。
【００１４】
【発明の実施の形態】
以下、本発明の実施の形態について図面を参照しながら詳述する。
図１は本発明に係る生理用ナプキンＮの平面展開図であり、図２は図１のII−II線矢視図、図３は図１のIII−III線矢視図、図４は図１のIV−IV線矢視図である。
【００１５】
前記生理用ナプキンＮ（以下、単にナプキンという。）は、ポリエチレンシートなどからなる不透液性バックシート１と、経血やおりもの等を速やかに透過させる透液性トップシート３と、これら両シート１，３に介装された綿状パルプまたは合成パルプなどからなる吸収体２と、吸収体側部上面位置を起立基点として内向き方向に突出するように形成された左右一対の第１立体ギャザー４，４と、前記第１立体ギャザー４，４の外側に配置されるとともに、前記不透液性バックシート１の側縁から実質的に連続して設けられた不織布、または該不織布および不透液性バックシート１によって形成されるとともに、不透液性バックシート１の側縁または上面位置を起立基点として外向き方向に突出するように形成された左右一対の第２立体ギャザー５，５とから構成されるものである。
【００１６】
前記第１立体ギャザー４の機能は、主に経血等の横漏れを防止する横漏れ防止機能と、製品の長手方向全体形状を湾曲形状に保つ形状安定機能とを担い、前記第２立体ギャザー５は、主に前記第１立体ギャザーを乗り越えて逸出する経血等があった場合、これをブロックし外に経血等を漏出させない横漏れ防止機能を担う。
【００１７】
以下、さらに具体的に詳述すると、
前記不透液性バックシート１は、ポリエチレン、ポリプロピレン等の少なくとも遮水性を有するシート材が用いられるが、近年はムレ防止の点から透湿性を有するものが好適に用いられる傾向にある。この遮水・透湿性シート材としては、たとえばポリエチレンやポリプロピレン等のオレフィン系樹脂中に無機充填材を溶融混練してシートを成形した後、一軸または二軸方向に延伸することにより得られる微多孔性シートが好適に用いられる。
【００１８】
次いで、前記透液性トップシート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。
【００１９】
前記透液性トップシート３に多数の透孔を形成した場合には、経血やおりもの等（以下、経血等という。）が速やかに吸収されるようになり、ドライタッチ性に優れたものとなる。
【００２０】
前記吸収体２としては、体液を吸収・保持し得るものであれば良く、通常はフラッフ状パルプ中に吸水性ポリマー粉末を混入したものが吸収機能および価格の点から好適に使用される。前記吸収体２は形状保持、および経血等を速やかに拡散させるとともに、一旦吸収した経血等の逆戻りを防止するためにクレープ紙１０によって囲繞するのが望ましい。また、前記吸収体２の平面形状は、図示されるように、股間部への当たりを和らげるためにフィットカット形状（ひょうたん形状）としてもよいし、或いは方形状、小判形状等としてもよい。すなわち、この種の吸収性物品において採用される任意の平面形状を採用することができる。
【００２１】
前記透液性トップシート３面には、排血口対応部を山状に膨出させるため、および吸収した経血等を封じ込める等のために溝状のサイドエンボス７、フロントエンボス８と、バックエンボス９とが形成されている。前記サイドエンボス７，７は排血口対応部を跨いで両側位置に形成された内側に向けて緩やかな突状を成す弧状エンボス線であり、前記フロントエンボス８は排血口対応部の前部位置に形成された前方側に突出する半円弧状エンボス線であり、前記バックエンボス９は排血口対応部の後部位置に形成された後方側に突出する半円弧状エンボス線である。
【００２２】
前記吸収体２の周囲において、その上下端部位では、前記不透液性バックシート１と透液性トップシート３とがホットメルトなどの接着剤やヒートシール等の接着手段により接合され前後フラップＢＦが形成されているとともに、その両側部位では前記不透液性バックシート１と、第１立体ギャザー４および第２立体ギャザー５を形成しているギャザー形成不織布６とがホットメルトなどの接着剤やヒートシール等の接着手段により接合され側部フラップＳＦが形成されている。
【００２３】
前記透液性トップシート３の幅寸法は、図２の中央断面図および図３の前端部断面図に示されるように、吸収体２の幅よりも若干長めとされ吸収体２を覆うだけに止まり、前記第１立体ギャザー４およびこれの外側に形成される第２立体ギャザー５は、前記透液性トップシート３とは別のギャザー形成不織布６、具体的には経血等が浸透するのを防止する、或いは肌触り感を高めるなどの目的に応じて、ポリエチレン、ポリプロピレンなどのオレフィン系、ポリエステル系、ナイロン系などの疎水性繊維による不織布、または親水性不織布をシリコン系、パラフィン金属系、アルキルクロミッククロリド系撥水剤などをコーティングした撥水処理不織布などによって形成されている。このギャザー形成不織布６としては、ゴワ付き感を無くすとともに、ムレを効果的に防止するために、坪量を抑えて通気性を持たせた不織布を用いるのがよい。具体的には、坪量を１８〜２３g/m２として作製された不織布を用いるのが望ましい。
【００２４】
さらに、前記第１立体ギャザー４および第２立体ギャザー５の構造を図２および図５に基づいて詳述すると、ギャザー形成不織布６は、その内方側端部が吸収体２の側縁上部位置Ｅにおいてホットメルト接着剤により透液性トップシート３の上面に接着され、吸収体２の側縁上部位置Ｅの内方がわ端を起立基点として起立し、第１立体ギャザー４の起立長さに相当する折返し幅をもってその中間部が前記側縁上部位置Ｅと重なるＦ部において接着されることにより二重のシート部分が作られ、この二重シート内の先端部分に、両端または長手方向に適宜の位置が固定された第１弾性伸縮部材１１が内設されている。また、この二重シート部分は、図３に示されるように、生理用ナプキンＮの長手方向両端部においてそれぞれ、二重シート部分の内面側が透液性トップシート３面にホットメルト接着剤などにより接着されていることにより、前記第１弾性伸縮部材１１の収縮作用によって前記二重シート部分は内向き方向に起立し前記第１立体ギャザー４を形成している。なお、前記側縁上部位置Ｅおける接着は、連続的な接着であっても良いし、間欠的な接着であっても良い。
【００２５】
前記第１立体ギャザー４は、主に経血等の横漏れを防止する横漏れ防止機能と、製品の長手方向全体形状を湾曲形状に保つ形状安定機能とを担う。この２つの機能を効果的に発揮するには、前記第１弾性伸縮部材１１は、伸縮率（伸長時長さ／無応力時長さ×100）１３０〜２００％、好ましくは１５０〜１７０％、弾性強度５〜３０gf、好ましくは１０〜２０gfとすることが望ましい。また、製品の全体形状を図６に示される湾曲形状にするには、第１弾性伸縮部材１１の伸縮力を効果的に吸収体２に作用させる必要がある。そのため、第１立体ギャザー４の起立長さＬ３は、２〜８mmとするのが望ましい。起立長さＬ３が２mm未満の場合には、肌との接触が浅くなり着用者の運動などにより離間が生じ横漏れが発生し易い。また、起立長さＬ３が８mmを超える場合には、第１弾性伸縮部材１１の収縮力を吸収体２に効果的に作用させることができなくなり、製品全体を湾曲形状に保つことが困難となる。
【００２６】
前記第１弾性伸縮部材１１の固定に当たっては、弾性伸縮部材にホットメルトを塗布し、ギャザー形成不織布６に接着固定する方法と、ギャザー形成不織布６にホットメルト接着剤を塗布し弾性伸縮部材を接着固定する方法との二法のどちらでも採用出来るが、好ましくはホットメルトによりギャザー形成不織布６が硬化するのを防止し、肌への当たりを柔らかくするには、前者の弾性伸縮部材側にホットメルト接着剤を塗布し固定する方法を採用するのが望ましい。なお、前記第１弾性伸縮部材１１は、肌への当たりを和らげるために、最先端部よりも若干内側に入った位置に固定するのが望ましい。
【００２７】
さらに、前記第１立体ギャザー４の起立基点位置、すなわち吸収体２の側縁からの距離Ｌ１は、１０mm以内とするのが望ましい。この距離Ｌ１が１０mmを超える場合には、第１立体ギャザー４，４間の有効吸収エリアの縮小を招き好ましくない。
【００２８】
他方、前記Ｆ部よりさらに外方に延在するシート部分は、不透液性バックシート１の側縁を越えて外方まで延在した後、二重に折り返され前記不透液性バックシート１の内面がわ側縁部に接着されている。この二重の折返し部であって、かつ前記不透液性バックシート１の側縁より外方がわ位置には、１または複数本の、図示例では２本の第２弾性伸縮部材１２，１２が配設されている。この第２弾性伸縮部材１２，１２の収縮力により、側部フラップ部分ＳＦが不透液性バックシート１上を起立基点として外向きに突出するように第２立体ギャザー５が形成されている。なお、不透液性バックシート１の側縁からのギャザー形成不織布６による延出距離Ｌ２は、５mm以上とするのが望ましい。前記延出距離Ｌ２が５mm未満の場合には、不織布よりも硬い不透液性バックシート１の側縁が肌に当たるようになり装着感が損なわれるようになる。この延出距離Ｌ２が大きい場合には、第２立体ギャザー５の起立基点が不透液性バックシート１の側縁部になることもある。
【００２９】
前記第２立体ギャザー５は、主に前記第１立体ギャザー４を乗り越えて逸出する経血等があった場合、これをブロックし外に経血等を漏出させない横漏れ防止機能を担う。この機能を効果的に発揮するには、前記第２弾性伸縮部材１２，１２は、伸縮率１１０〜１８０％、好ましくは１３０〜１５０％、弾性強度５〜６０g、好ましくは１０〜３５gとすることが望ましい。
【００３０】
前記第２立体ギャザー５は、不透液性バックシート１の起立基点Ｋからの起立長さＬ４は、４〜２５mmとするのが望ましい。起立長さＬ４が４mm未満の場合には、肌への接触度合いが弱く着用者の動きによっては肌との間に隙間が生じて横漏れが生じることがある。また、起立長さＬ４が２５mmを超える場合には、逆に肌への接触が深すぎてシワが形成され、このシワの溝を伝わって横漏れすることがあるため望ましくない。
【００３１】
前記第１立体ギャザー４と、第２立体ギャザー５との関係は、前記第１立体ギャザーの内方がわ側縁から前記第２立体ギャザーの外方がわ側縁までの幅寸法ＢＧが、吸収性物品の製品幅Ｂの１５％以上、好適には１５〜３０％を占めることが望ましい。前記幅寸法ＢＧ／製品幅Ｂが１５％未満である場合には、第１立体ギャザー４と第２立体ギャザー５とによって形成される血液等の滞留空間が十分に確保されず、横漏れを効果的に防止し得ないとともに、結果的に肌への接触度合いが浅くなるため、着用者の動きに対するクッション性や追随性が確保出来なくなる。
【００３２】
前記第１立体ギャザー４に配設される第１弾性伸縮部材１１の接着長さは、第２立体ギャザー５に配設される第２弾性伸縮部材１２の接着長さと同等か、好ましくは長くするのが望ましい。具体的には０〜４０mm程度長くするのが望ましい。第１弾性伸縮部材１１の接着長さを長くすることにより、吸収体２を湾曲させる力を効果的に作用させることができるようになる。
【００３３】
また、弾性強度についても、第１立体ギャザー４に配設される第１弾性伸縮部材１１の弾性強度は、第２立体ギャザー５に配設される第２弾性伸縮部材１２の弾性強度と同等か、好ましくは強くするのが望ましい。これも、吸収体２を効果的に湾曲させるためである。具体的には、第１弾性伸縮部材１１の弾性強度が第２弾性伸縮部材１２，１２の弾性強度の０〜４０％増となっていることが望ましい。
【００３４】
なお、本例における二重ギャザーの形成態様は、前記第１立体ギャザー４と、第２立体ギャザー５とは１枚のギャザー形成不織布６により形成されている点で、原価コストが安価になるとともに、部品数が少なくなるため操業性の点から好ましいものとなっている。
【００３５】
かかる生理用ナプキンＮを、身体の局部に対して装着するに当たっては、図７に示されるように、局部に対して前記生理用ナプキンＮをあてがう際に、捻れやシワを寄らすことなく、第１立体ギャザー４および第２立体ギャザー５が共に身体に対して連続的に密着し隙間が形成されないように装着する。この場合、前記第２立体ギャザー５、５は、ショーツの外側位置において脚部の付け根位置に接触するように装着される。前記第１立体ギャザー４、４はショーツ内において経血等の漏れを堰き止め横漏れしないようにガードし、そして横ズレや捻れが生じて肌との間に隙間が形成され、前記第１立体ギャザー４、４を乗り越えて漏出する経血等があったとしても、前記第２立体ギャザー５、５がこの経血等をブロックし、ショーツが汚れるのを防止する。
【００３６】
本生理用ナプキンＮでは、前記二重の立体ギャザーの形成態様に係り、内側に位置する第１立体ギャザー４は、吸収体側部上面位置を起立基点として内向きに突出するように形成し、一方の外側に位置する第２立体ギャザー５は不透液性バックシート１上を起立基点として外向きに突出するように形成している。同図に示されるように、前記第１立体ギャザー４は、内向き傾斜で股間部に接触し、一方の第２立体ギャザー５は、その外側位置にて外向き傾斜で股間部に接触する。その結果、前記第１立体ギャザー４と第２立体ギャザー５とで幅広の断面略Ｖ字状空間、すなわち経血等の滞留空間Ｐが確実に形成されるようになる。この滞留空間Ｐを形成している一方の第２立体ギャザー５が不透液性シート１上を起立基点として立ち上がっているため、仮に吸収体２が肌に密着する状態となったとしても、前記滞留空間Ｐは潰されることなく、空間状態を定常的に維持するようになる。
【００３７】
【発明の効果】
以上詳説のとおり本発明によれば、経血やおりもの等の横漏れを２重障壁（ギャザー）によって確実に阻止するとともに、双方の立体ギャザーによって効果的に機能し得る経血等の滞留空間を形成でき、かつ製品の長手方向形状を湾曲形状に保つようになる。
【図面の簡単な説明】
【図１】  本発明に係る生理用ナプキンＮの平面展開図である。
【図２】  図１のII−II線矢視図である。
【図３】  図１のIII−III線矢視図である。
【図４】  図１のIV−IV線矢視図である。
【図５】  二重立体ギャザーの形成態様を拡大して模式的に示した図である。
【図６】  本吸収物品の製品状態を示す側面図である。
【図７】  本吸収性物品の装着状態図である。
【図８】  従来の吸収性物品（従来例１）を示す横断面図である。
【図９】  その装着状態図である。
【図１０】  従来の吸収性物品（従来例２）を示す横断面図である。
【符号の説明】
１…不透液性バックシート、２…吸収体、３…透液性トップシート、４…第１立体ギャザー、５…第２立体ギャザー、６…ギャザー形成不織布、７…サイドエンボス、８…フロントエンボス、９…バックエンボス、１０…クレープ紙、１１…第１弾性伸縮部材、１２…第２弾性伸縮部材
【図１】
0004024998.tif 000002
【図２】
0004024998.tif 000003
【図３】
0004024998.tif 000004
【図４】
0004024998.tif 000005
【図５】
0004024998.tif 000006
【図６】
0004024998.tif 000007
【図７】
0004024998.tif 000008
【図８】
0004024998.tif 000009
【図９】
0004024998.tif 000010
【図１０】
0004024998.tif 000011